(57)【要約】【課題】可搬性と操作性を改善するレーザ治療器を提供する。【解決手段】レーザ発振手段６とバッテリ１２を内蔵したレーザ照射部２と、充電器１６を備えた本体部４とからなるレーザ治療器であり、前記レーザ照射部にレーザ発振手段を制御する制御手段１０と、レーザ照射条件を記憶する記憶手段８と、前記本体部と電気的もしくは電磁的に接続するための接続部１８を設けている。また、前記本体部には、レーザ照射条件を設定するための条件設定手段１４と、前記レーザ照射部と電気的もしくは電磁的に接続するための接続部２０を設けており、レーザ照射部と本体部を各々の接続部を介して電気的もしくは電磁的に接続した状態で、レーザ照射部のバッテリを充電し、また、本体部の条件設定手段でレーザ照射条件を設定してレーザ照射部の記憶手段に記憶させるよう構成した。【選択図】  図1
2013094429.tif 000002
【特許請求の範囲】
【請求項１】
レーザ発振手段とバッテリを内蔵したレーザ照射部と、充電器を備えた本体部とからなるレーザ治療器において、
前記レーザ照射部にレーザ発振手段を制御する制御手段と、レーザ照射条件を記憶する記憶手段と、前記本体部と電気的もしくは電磁的に接続するための接続部を設けるとともに、
前記本体部にレーザ照射条件を設定するための条件設定手段と、前記レーザ照射部と電気的もしくは電磁的に接続するための接続部を設け、
レーザ照射部と本体部を各々の接続部を介して電気的もしくは電磁的に接続した状態で、レーザ照射部のバッテリを充電し、また、本体部の条件設定手段でレーザ照射条件を設定してレーザ照射部の記憶手段に記憶させることを特徴とするレーザ治療器。
【請求項２】
前記各接続部は、一方と他方が係合するよう構成されており、
前記本体部に、前記レーザ照射部を載置させるための載置部を形成するとともに、この載置部に前記レーザ照射部の接続部と係合する接続部を設け、
レーザ照射部を前記載置部に載置させるとともに、レーザ照射部の接続部を本体部の接続部に係合させて、レーザ照射部と本体部とを電気的もしくは電磁的に接続させることを特徴とする請求項１に記載のレーザ治療器。
【発明の詳細な説明】
【技術分野】
【０００１】
本発明はレーザ治療器、特に疼痛緩和や創傷治癒促進等に用いるレーザ治療器の可搬性や操作性の改良に関するものである。
【背景技術】
【０００２】
従来のレーザ治療器の構成例を図３に示す。装置はレーザ治療器本体101と、レーザ光を生体に照射するプローブ102で構成され、両者はプローブコード107で接続される。
レーザ治療器本体101は、入力部103と、制御部104、及び電源部105を、また、プローブ102は、レーザ光を発生するレーザダイオード108を、それぞれ有する。
入力部103はデータ入力用のキー等を有し、当該キーを操作して、出力するレーザ光の強さや照射時間などの刺激条件を設定する。
制御部104は、入力部103で設定した刺激条件を参照して、レーザダイオード108に供給する電流を制御するとともに、表示器や入力部等、装置全体の制御を行う。
電源部105はレーザダイオード108を含む装置全体に電力を供給する。
レーザダイオード108は制御部104で制御された電流で駆動され、当該電流の大きさに応じた強さのレーザ光を出力する。
プローブコード107は、制御部104で制御された電流をレーザダイオード108に供給する電線であり、106は商用電源用の電源ラインである。
【０００３】
図３には示していないが、通常、レーザ治療器本体101には表示部も設けており、設定した刺激条件や、治療時のデータ（出力光の強さや、治療経過時間又は残余時間など）、治療結果のデータ（累計照射時間や全照射エネルギーなど）等を表示する。
また、図３には示していないが、プローブ102の生体に接触させてレーザ光を出力する部分（照射端）にタッチセンサを設け、これを生体に接触させると、レーザの照射を許可するようにしている。
【０００４】
タッチセンサの代わりに、照射開始スイッチを設け、これのスイッチをオンにするとレーザを照射するようにするものもある。
図３にはレーザダイオード108をプローブ102に内蔵する例を示しているが、レーザダイオード108をレーザ治療器本体101に収納しているものもある。このタイプの装置では、プローブコード107に光ファイバを用い、レーザ治療器本体101内のレーザダイオード103で発生させたレーザ光をプローブ102に導光して、生体に照射するようにしている。
【０００５】
疼痛緩和を目的とする低出力タイプのレーザ治療の刺激点は、圧痛点（圧迫して痛みが生じる点）や、トリガーポイント（痛みの原因部位）、東洋医学で言うツボ、神経節、神経、血管等である。通常、患部の周囲には複数の刺激点があり、例えば圧痛の強い順番に刺激する。
創傷治癒促進では、創周囲のダメージを受けた部位の外側や、創全体を刺激する。
刺激光の強さは、数十ｍＷ以上の出力が必要とされているが、患者によって、疾患によって、疾患の程度によって、患部の部位（敏感さの違い）によって、また、体表面からの深さによって、光の強さを調節して使用する。
刺激時間は、1刺激点につき１５秒程度が適切とされるが、患者によって、疾患によって、疾患の程度によって、患部の部位（敏感さの違い）によって、また、体表面からの深さによって、刺激時間を調節する。通常、数〜数十秒にして使用される。
このようにして適切なレーザ治療を行うと、効果的な疼痛緩和や創傷治癒促進等が可能となる。
【０００６】
治療前に患者を治療台に座らせ、入力部105から患者に適した刺激条件を設定すると、治療の準備が完了する。
その後、施術者がプローブ102を手で持って患部の刺激点に当接すると、治療がスタートし、設定した照射時間（数〜数十秒）だけレーザを出力し、1点の治療が終了する。これを全ての治療点で繰り返し実行すると、治療が終了する。
【０００７】
圧痛点やツボなどの刺激点は小さな点であり、この位置を正確に、かつ、ほぼ垂直な方向から刺激しないと、十分な治療効果は得られない。
このため、プローブ102は小型軽量にして手で持ちやすくし、任意の部位を所望の方向から刺激できるように工夫されている。
しかし、図３に示した従来のレーザ治療器は、レーザ治療器本体101とプローブ102の間をプローブコード107で接続しているため、プローブコード107の長さにより、プローブ102を移動できる範囲はで制限される。このため、レーザ治療器本体101から離れた部位によっては、患部にプローブ102が届かず、治療ができないということがあり、このような場合は、治療中に、レーザ治療器本体101を移動させなければならなかった。つまり、プローブコード107の長さにより、プローブ102の移動範囲が制限されるという問題があった。
また、プローブ102の質量、及びプローブコード107の張力と質量により、プローブ102を所望の位置に所望の方向にセットし難いこともあり、また、プローブ102を所望の位置に所望の方向にセットしても、プローブ102の位置と方向がズレることがあり、治療効果が低下するという問題があった。つまり、プローブ102の操作性に問題があった。
さらに、ベッドサイド等、通常の設置位置から離れた場所でレーザ治療を行う場合、装置全体を持ち運ばなければならないが、装置はある程度大きく重いため、運搬に手間と労力を要し、また、商用電源が無ければ使用できないという問題があった。つまり、可搬性の問題があった。
このような問題により、それに対処する施術者の労力が増加し、医療効果と医療効率が低下するという問題も生じていた。
【０００８】
これらの課題を解決する技術は、疼痛緩和や創傷治癒促進を目的とする低出力レーザ治療器においては開示されていないが、類似の、レーザ照射による育毛等の分野においては、いくつかの技術が存在する（例えば特許文献１など）。
特許文献１は、ケース体の一部に複数の突起物を配列しこれを頭皮に当接して物理的にマッサージするようにするとともに、前記突起物の先端から発光ダイオードの光を照射し、さらに、レーザ照射部を設けて低出力レーザを照射するようにした脱毛治療器である。
装置は、小型のケース体と、小型のケース体のバッテリを充電する充電器で構成され、予め、ケース体を充電器に置いてバッテリを充電しておき、使用する際には、充電器からケース体を取り出して、ケース体の刺激部を頭皮に当接し、圧力とレーザ光、ＬＥＤ光による複合刺激ができる。
このように、特許文献１の装置は、LEDとレーザダイオードとその制御部とバッテリを１つのケースに収納しているため、前述のような図３の従来装置が有する課題は解消されている。
【先行技術文献】
【特許文献】
【０００９】
【特許文献１】特表2007-520239号公表特許公報
【発明の概要】
【発明が解決しようとする課題】
【００１０】
前述のように、図３に示した従来のレーザ治療器は、レーザ治療器本体101とプローブ102をプローブコード107で接続しているため、プローブ102の移動範囲が制限される、プローブの操作性が制限されるという問題があった。また、装置は比較的大きく、商用電源との接続を必要とするため、装置の可搬性に問題があった。このような不都合は、それに対処する施術者の労力を増加させ、医療効果と医療効率を低下させていた。
【００１１】
特許文献１の装置は、ＬＥＤとレーザダイオードとその制御部及びバッテリを収納するケース体と充電器で構成し、ケース体単独で頭皮を刺激できるようにしている。
このため、前述のように、従来のレーザ治療器が有するプローブ102の移動範囲の制限、操作性の制限、及び可搬性の問題は解決している。
しかし、特許文献１の充電器はケース体のバッテリを充電するだけであり、刺激条件を設定する手段を有しない。また、ケース体も刺激条件を設定する手段を有しない。
このため、特許文献１の装置は、患者や疾患の種類、患部の位置、体表面からの深さに応じて適切な刺激条件を設定して適切なレーザ治療を行うことはできない。
【００１２】
本発明は、これらの課題を解決し、移動範囲に制限の無い、操作性と可搬性に優れ、任意の場所で任意の部位を任意の方向から刺激できる、刺激条件すなわち照射条件を任意に設定できる、治療効果の高い、しかも施術者の労力を省力化する低出力レーザ治療器を提供することを目的とするものであり、特に、レーザが誤った照射条件で照射されることを防止することを目的としたものである。
【課題を解決するための手段】
【００１３】
そこで、請求項１記載の発明では、レーザ発振手段とバッテリを内蔵したレーザ照射部と、充電器を備えた本体部とからなるレーザ治療器において、前記レーザ照射部にレーザ発振手段を制御する制御手段と、レーザ照射条件を記憶する記憶手段と、前記本体部と電気的もしくは電磁的に接続するための接続部を設けるとともに、前記本体部にレーザ照射条件を設定するための条件設定手段と、前記レーザ照射部と電気的もしくは電磁的に接続するための接続部を設け、レーザ照射部と本体部を各々の接続部を介して電気的もしくは電磁的に接続した状態で、レーザ照射部のバッテリを充電し、また、本体部の条件設定手段でレーザ照射条件を設定してレーザ照射部の記憶手段に記憶させるよう構成したことを特徴としている。
また、請求項２記載の発明では、請求項１に記載のレーザ治療器において、前記各接続部は、一方と他方が係合するよう構成されており、前記本体部に、前記レーザ照射部を載置させるための載置部を形成するとともに、この載置部に前記レーザ照射部の接続部と係合する接続部を設け、レーザ照射部を前記載置部に載置させるとともに、レーザ照射部の接続部を本体部の接続部に係合させて、レーザ照射部と本体部とを電気的もしくは電磁的に接続させることを特徴としている。
【発明の効果】
【００１４】
請求項１の発明によれば、レーザ発振手段とバッテリを内蔵したレーザ照射部と、充電器を備えた本体部とからなるレーザ治療器において、レーザ照射部と本体部を電気的もしくは電磁的に接続した状態でなければ、本体部の条件設定手段でレーザ照射条件を設定することができないため、例えばレーザ照射部を本体部に載置させた際などに、不意にレーザ照射部と本体部とが接続されて送信可能な状態となって、レーザ照射部の設定が変更されることが防止される。
【００１５】
請求項２の発明によれば、本体部に形成した載置部にレーザ照射部の接続部と係合する接続部を設けており、レーザ照射部を前記載置部に載置させるとともに、前記レーザ照射部の接続部を本体部の接続部に係合させて電気的もしくは電磁的に接続するため、常に確実に接続した状態でレーザ照射条件を送信させることができる。
【図面の簡単な説明】
【００１６】
【図１】本発明のレーザ治療器の実施例である。
【図２】図１のレーザ治療器の内部構造を示す概略図である。
【図３】レーザ治療器の従来例を示す概略図である。
【発明を実施するための形態】
【００１７】
レーザ発振手段とバッテリを内蔵したレーザ照射部と、充電器を備えた本体部とからなるレーザ治療器であり、前記レーザ照射部にレーザ発振手段を制御する制御手段と、レーザ照射条件を記憶する記憶手段と、前記本体部と電気的もしくは電磁的に接続するための接続部を設けている。また、前記本体部には、レーザ照射条件を設定するための条件設定手段と、前記レーザ照射部と電気的もしくは電磁的に接続するための接続部を設けており、レーザ照射部と本体部を各々の接続部を介して電気的もしくは電磁的に接続した状態で、レーザ照射部のバッテリを充電し、また、本体部の条件設定手段でレーザ照射条件を設定してレーザ照射部の記憶手段に記憶させるよう構成している。
【実施例】
【００１８】
本発明の実施例を図1および図２に示す。
図1および図２の２はレーザ照射部、４は本体部を構成するコントローラである。
レーザ照射部２は、レーザ光を出力するレーザ発振手段としての半導体レーザ６と、半導体レーザ６によるレーザ照射条件を記憶する記憶手段としてのメモリ８と、メモリ８の内容を参照して半導体レーザ６の作動を制御する制御手段１０と、電力を供給するバッテリ１２を内蔵し、外形は片手で保持し易い大きさ及び形状に形成されている。
また、コントローラ４は、半導体レーザ６によるレーザ照射条件を含むレーザ照射部２の制御情報を設定する条件設定手段１４と、バッテリ１２を充電するための充電器１６を有している。
さらに、前記条件設定手段１４で設定した制御情報をコントローラ４からレーザ照射部２のメモリ８に送信し、また、コントローラ４の充電器１６でレーザ照射部２のバッテリ１２を充電するために、コントローラ４とレーザ照射部２を電気的もしくは電磁的に接続するための接続部１８、２０を、レーザ照射部２とコントローラ４の両方に設けている。
本発明では、レーザ照射部２の接続部１８に露出する端子とコントローラ４の接続部２０に露出する端子を接触させて、電気的に接続する接続手段を構成している。例えば、レーザ照射部２に、メモリ８に接続した信号端子と、バッテリ１２に接続した電源端子とを設け、コントローラ４に、条件設定手段１４に接続した信号端子と、充電器１６に接続した電源端子を設けて、レーザ照射部２の接続部１８とコントローラ４の接続部２０を接触させることにより、電源端子と電源端子、信号端子と信号端子がそれぞれ接続されて、レーザ照射部２とコントローラ４が有線で電気的に接続されるようにしている。
ここでは、接続部１８、２０に露出する端子によりレーザ照射部２とコントローラ４を有線で接続する例を示したが、電磁波等を用いて電磁的に無線で転送するようにしてもよい。
【００１９】
コントローラ４には、レーザ照射部２を載置させるための載置部として、レーザ照射部２を嵌め込むことのできる収容凹部２２が形成されており、この収容凹部２２内に接続部２０が凸状の係合部として形成されている。また、レーザ照射部２には接続部２０と係合可能な位置に接続部１８が凹状の係合部として形成されており、レーザ照射部２をコントローラ４の収容凹部２２に載置して収容させることで、凹状の接続部１８に凸状の接続部２０が嵌り込んで係合状態となり、レーザ照射部２のバッテリ１２はコントローラ４の充電器１６と有線又は無線で接続され充電することができる。充電は、図示しない充電開始スイッチを押すことで開始してもよいし、レーザ照射部２をコントローラ４に置くだけで開始するようにしてもよい。
本実施例では、レーザ照射部２を２つ備えており、載置部として収容凹部２２も２箇所に形成されているが、各々１つであってもよく２つ以上の複数であってもよい。
コントローラ４には、ＬＥＤ表示器、液晶表示器などの表示部２４を設け、充電時には、どの程度充電されているか、充電中であるか充電が終了したか等を表示するようにすると、この表示部２４を見ると、レーザ照射部２が電源の面から見て使用できるか否かを判断することができるので、便利である。
【００２０】
また、コントローラ４にはキースイッチやボリューム等を用いた設定入力部２６を設けており、この設定入力部２６を操作して、所望の出力光の強さ、照射時間を含む制御情報を設定し、コントローラ４の条件設定手段１４に入力する。
コントローラ４の条件設定手段１４は、レーザの出力や照射時間等の照射条件だけでなく、レーザ照射部２の各部を制御する制御信号も設定できる。レーザ照射部２にはレーザ出射させるために、照射端２Ａに患者に触れることで作動する接触スイッチ２８と、施術者が手動操作する手動スイッチ３０の両方を設けてあり、レーザ照射部２の制御信号には、これら接触スイッチ２８と手動スイッチ３０のどちらのスイッチを選択するかという情報や、消費電力を少なくする休止モードにするまでの時間情報、複数個設けた治療中の音楽やメロディの中からどれを選択するかという情報、音楽やメロディの音圧、音量情報などがある。
レーザ照射部２をコントローラ４の収容凹部２２に載置させるとともに、レーザ照射部２の凹状の接続部１８にコントローラ４の凸状の接続部２０を嵌め込んで係合状態とし、これによりコントローラ４の条件設定手段１４は、レーザ照射部２のメモリ８と通信可能に接続される。この状態でコントローラ４の条件設定手段１４は設定入力部２６からの入力が可能となり、入力された照射条件や制御信号は接続部１８、２０を介して送信されメモリ８に記憶されるようになっている。
このように、レーザ照射部２の接続部１８とコントローラ４の接続部２０によって、電気的もしくは電磁的に接続された状態の場合に限り、コントローラ４の設定入力部２６から条件設定手段１４への入力が可能となり、照射条件がレーザ照射部２のメモリ８に送信されて制御手段１０に設定されるので、事前にレーザ照射部２が切り離された状態でコントローラ４に照射条件を入力しておき、レーザ照射部２を接続した際にデータ送信のみを実行するよう構成した場合に生じる、コントローラ４とレーザ照射部２の接触により意図せずにデータが送信されて、誤った照射条件でレーザが照射されることがない。また、コントローラ４とレーザ照射部２の接続部１８、２０は、互いに係合するよう形成しているので、接続が不十分な状態で送信が開始されて途中で接続が解除されて送信が中断し、誤った照射条件で設定されたり、送信自体がされない等の送信ミスが防止される。
なお、レーザ照射部２の接続部１８とコントローラ４の接続部２０の形状は、凹凸が逆であってもよく、さらには、互いに係合可能であれば様々な形状の係合部として構成することができる。
また、収容凹部２２には、レーザ照射部２の照射端２Ａが位置する箇所に、突出する照射端２Ａを挿入するための挿入孔２２Ａが形成されており、この挿入孔２２Ａに照射端２Ａを挿入させるとともに、接続部１８を収容凹部２２に形成した接続部２０に係合させることで、レーザ照射部２を収容凹部２２に確実に保持させることができるようになっている。
【００２１】
以上、コントローラ４からレーザ照射部２へ照射条件と制御信号を送信するデータ送信について記載したが、逆に、レーザ照射部２からコントローラ４にデータを送信して、送信内容をコントローラ４の表示部２４に表示可能とすると、前回使用した照射条件を確認し、必要に応じて照射条件を変更することができるし、照射条件を変更する必要が無いときにはコントローラ４を操作する必要はないため、施術者の手間を省略化することができる。
なお、コントローラ４には、条件設定手段１４や充電器１６に電力を供給する電源部３２が設けられ、電源コード３２Ａによって商用電源に接続されているが、施術時はレーザ照射部２をコントローラ４から分離して操作することができるため、移動範囲が制限されることがない。また、出力測定部３４を備えており、ここに向けてレーザを照射することでレーザの出力を測定して、十分な出力があるか判定できるようになっている。
さらに、レーザ照射部２の上面には表示部３６が備えられ、照射条件やバッテリ残量等を確認することができ、側部には緊急時にレーザの照射を停止させる緊急停止スイッチ３８が配置されている。また、表示部３６の周囲部は開閉カバー４０で開閉可能に覆われており、開閉カバー４０を開放した内側にはレーザ発振手段６を作動可能とするためのカード式の鍵４２を差し込むようになっている。
【００２２】
以下に、本発明によるレーザ治療器の使用法を概説する。
使用前に、レーザ照射部２をコントローラ４の収容凹部２２に載置し、両者を電気的もしくは電磁的に接続する。
表示部２４によりバッテリ１２が充電されていることを確認し、不足していれば充電する。
コントローラ４の設定入力部２６を操作して患者に適した照射条件を設定する。また、必要に応じて、レーザ照射部２を制御するその他の制御信号も設定する。
入力された照射条件が条件設定手段１４からレーザ照射部２のメモリ８に送信されると、制御手段１０に照射条件が設定されて、レーザ照射部２単独でレーザ治療器として使用できるようになる。
レーザ照射部２の照射端２Ａには接触スイッチ２８を設けており、照射端２Ａを患者の皮膚に接触させると接触スイッチ２８がオンになり、その信号が制御手段１０に入力されて、レーザ光の出力が許可される。コントローラ４の設定入力部２６での設定入力時に接触スイッチ２８の代わりに手動スイッチ３０を選択するようにして、この制御信号をレーザ照射部２に送信すると、手動スイッチ３０を押すと、レーザ照射部２の照射端２Ａを患者に接触させなくてもレーザを照射することができる。つまり、非接触でレーザ治療を行うことができる。
【００２３】
前述のように、疼痛緩和や創傷治癒促進を目的とする低出力タイプのレーザ治療の刺激点は、圧痛点（軽く圧迫して痛みが生じる点）や、トリガーポイント（痛みの原因部位）、東洋医学で言うツボ等であるが、圧痛点を刺激することが多い。圧痛点は、通常、患部の周囲には複数個所があり、圧痛の強い順番に刺激する。
【００２４】
バッテリ１２を充電し照射条件を設定したレーザ照射部２を手で持って、まず、最も強い痛みが生じる圧痛点に照射端２Ａを押し付けると、治療が開始し、所定の強さの光を所定の照射時間だけ照射する。照射時間が終了すると、光の出力は停止する。続いて2番目に強い圧痛点にレーザ照射部２の照射部を押し付けると、所定の強さの光を所定の照射時間だけ照射する。同様に、3番目に強い圧痛点、4番目、と順次、刺激を行う、全治療点の照射が終了すると、治療が終了する。疼痛が強い場合、照射部を押し付けると痛みが増強することがあるため、出力スイッチを用いて、非接触で使用することもある。
このようにして適切なレーザ治療を行うと、効果的な疼痛緩和を行うことができる。
創傷治癒促進では、創の周囲のダメージを受けた領域のやや外側の健康な領域を、血管や神経の走行を勘案し、複数個所を刺激する。この場合は、照射部を接触させて比較的強い刺激を行うことが多い。
創傷治癒促進では、創傷を直接刺激することもある。この場合、非接触で、比較的弱い刺激で照射時間を長くして治療を行うことが多い。
【００２５】
レーザ照射部２はバッテリ１２で駆動するため、電池を長持ちさせるために、使用後、一定時間が経過すると、休止モードになるようにすることもできる。
コントローラ４の設定入力部２６を操作して休止モードにするまでの時間を設定し、この情報をデータ送信することにより、レーザ照射部２のメモリ８に転送すると、制御手段１０がメモリ８の内容を参照して、休止モードにする。
コントローラ４の設定入力部２６を操作して、どの音楽やメロディを選択するか、どの程度の音圧、音量で出力するかを設定し、レーザ照射部２のメモリ８及び制御手段１０に転送すると、使用時に、選択した音楽又はメロディを設定した音圧、音量で出力する。
【００２６】
本発明のレーザ照射部２は片手で持てる程度の大きさと質量であり、その移動を妨げるコード等は接続していないので、患者のどの部位でも、適切な方向からレーザを照射することができる。また、コントローラ４から離れた場所にも携帯でき、ベッドサイド等でも自由に使用できる。照射条件も任意に変更できるため、どのような患者であっても、どのような疾患であっても、どのような疾患の程度であっても、適切な照射条件にして治療を行うことができる。さらに、接触式と非接触式にして使用できるため、患者の適用を拡大することができる。その結果、より治療効果を向上させることができる。
また、休止モードにすることができるため、装置を長時間、使用できる。
さらに、音楽やメロディを任意に選択でき、しかもその音圧、音量も任意に設定できるため、心地良い治療を提供することができ、心理的な側面からも治療効果の向上を支援することができる。
このように本発明のレーザ治療器は従来の課題を解決し、操作性や課は安静を向上させ、市場上の制限を解消し、より治療効果を向上させ、しかも、介助者の労力を省力化するものである。
【符号の説明】
【００２７】
２：レーザ照射部                      ４：コントローラ（本体部）
６：半導体レーザ（レーザ発振手段）    ８：メモリ（記憶手段）
１２：バッテリ                        １６：充電器
１０：制御手段                        １８、２２：接続部  
【図１】
2013094429.tif 000003
【図２】
2013094429.tif 000004
【図３】
2013094429.tif 000005